(57)【特許請求の範囲】
【請求項１】
外壁パネルを梁に対しブラケットを介して取付具で取り付ける構造であって、
前記外壁パネルを前記梁から離間して配置し、
前記ブラケットの前記梁に対する取付具通し孔を横方向の長孔に形成し、
前記外壁パネルが設けられる建物は、当該建物の一側面に沿って隣接するバルコニーと窓サッシを備えており、
前記バルコニーにおける手摺の笠木の外側面と、前記窓サッシの水切りを構成する水切り本体部の上に被せた水切り延出部の外側面と、前記外壁パネルの表面とが略連続していることを特徴とする外壁パネルの取付構造。
【請求項２】
請求項１に記載の外壁パネルの取付構造において、
前記ブラケットの前記外壁パネルに対する取付具通し孔を前記横方向と略直交方向の長孔に形成したことを特徴とする外壁パネルの取付構造。
【請求項３】
請求項１または２に記載の外壁パネルの取付構造において、
前記ブラケットと前記取付具の頭部との間にワッシャが介在されることを特徴とする外壁パネルの取付構造。
【請求項４】
請求項１から３のいずれか一項に記載の外壁パネルの取付構造において、
前記梁は溝形鋼により形成され、その溝形鋼の下面に前記ブラケットが取付具で結合されることを特徴とする外壁パネルの取付構造。
【請求項５】
請求項１から４のいずれか一項に記載の外壁パネルの取付構造において、
前記建物は、四隅に立てられる柱の上端間及び下端間を天井及び床の前記梁でそれぞれ連結した略直方体状のフレームを有する建物ユニットを上下及び前後左右に複数組み合わせて建築されたユニット式建物で、
前記バルコニーは、前記建物ユニット内に設けられており、
当該ユニット式建物の前記一側面において、前記建物ユニットの前記柱の外側に、前記バルコニーの前記笠木と、前記窓サッシの前記水切りと、前記外壁パネルとが配置されていることを特徴とする外壁パネルの取付構造。
【発明の詳細な説明】
【技術分野】
【０００１】
本発明は、外壁パネルを梁に対しブラケットを介して取付具で取り付ける構造に関する。
【背景技術】
【０００２】
建物において、外壁パネルを梁に対しブラケットを介してボルトナットで取り付ける構造が広く知られている（例えば特許文献１参照）。
また、外壁パネルとして、例えばＡＬＣパネル等のように、厚みがあって重量はあるものの、耐久性や断熱性に優れたものを用いることがある。
【先行技術文献】
【特許文献】
【０００３】
【特許文献１】特開平９−６０１６９号公報
【発明の概要】
【発明が解決しようとする課題】
【０００４】
ところで、設計の自由度を高めるため、梁から外壁を離間させることを考えると、次の問題が生じる。
例えば地震等の振動によって建物に変形が生じると、梁が変位し、さらに梁に追従して外壁パネルも変位しようとする。ところが、上述のように重量のある外壁パネルを、ブラケット等を介して、梁から離間させて前方にずらして配置した場合には、梁とブラケットとの接続部分や、外壁パネルとブラケットとの接続部分等に強く荷重がかかる場合がある。そして、このように強く荷重がかかると、当該各接続部分の周辺に変形が生じることが考えられ、外壁パネルの良好な取付状態を維持する上で好ましくない。
【０００５】
そこで、本発明は、梁からブラケット及び取付具を介して離間させて配置する外壁パネルの良好な取付状態を維持することを目的とする。
【課題を解決するための手段】
【０００６】
以上の課題を解決するため、請求項１に記載の発明は、例えば図１〜図４に示すように、
外壁パネル２を梁１に対しブラケット３を介して取付具４・５で取り付ける構造であって、
前記外壁パネル２を前記梁１から離間して配置し、
前記ブラケット３の前記梁１に対する取付具通し孔を横方向の長孔３ａに形成し、
前記外壁パネル２が設けられる建物は、当該建物の一側面に沿って隣接するバルコニー２３と窓サッシ３１を備えており、
前記バルコニー２３における手摺の笠木２９の外側面と、前記窓サッシ３１の水切り３２を構成する水切り本体部３２ａの上に被せた水切り延出部３２ｂの外側面と、前記外壁パネル２の表面とが略連続していることを特徴とする。
【０００７】
請求項１に記載の発明によれば、外壁パネル２を梁１から離間して配置することにより外壁パネル２の位置を前方にずらすことができるので、断熱材を充填するための空隙を形成したり、建物外観の印象を変化させたりすることができる。
そして、ブラケット３の梁１に対する取付具通し孔を横方向の長孔３ａに形成したので、梁１は、例えば建物の変形に伴って変位する場合であっても、外壁パネル２の重量に影響されずに、長孔３ａの方向に沿って変位することになる。
従って、例えば地震等によって建物が変形し、これに伴って梁１が変位した場合であっても、建物の変形に伴う力が、外壁パネル２に対して伝わりにくくなる。これによって、例えば梁１とブラケット３との接続部分や、外壁パネル２とブラケット３との接続部分に強く荷重がかかることを防ぐことができるので、当該各接続部分の周辺に変形も生じず、外壁パネル２の良好な取付状態を維持することができる。
さらに、当該建物の一側面において、バルコニー２３における手摺の笠木２９の外側面と、隣接する窓サッシ３１の水切り本体部３２ａの上に被せた水切り延出部３２ｂの外側面と、外壁パネル２の表面とが略連続しているので、意匠性が良い。
【０００８】
請求項２に記載の発明は、例えば図１に示すように、
請求項１に記載の外壁パネル２の取付構造において、
前記ブラケット３の前記外壁パネル２に対する取付具通し孔を前記横方向と略直交方向の長孔３ｂに形成したことを特徴とする。
【０００９】
請求項２に記載の発明によれば、ブラケット３の外壁パネル２に対する取付具通し孔を横方向と略直交方向の長孔３ｂに形成したので、梁１がより多くの方向に変位しやすくなる。これによって、建物の変形に伴う力が外壁パネル２に対して伝わることをより確実に抑えることができる。
【００１０】
請求項３に記載の発明は、例えば図１に示すように、
請求項１または２に記載の外壁パネル２の取付構造において、
前記ブラケット３と前記取付具４・７の頭部との間にワッシャ６・８が介在されることを特徴とする。
【００１１】
請求項３に記載の発明によれば、ブラケット３と取付具４・７頭部との間にワッシャ６・８が介在されているので、長孔３ａ・３ｂに沿ってワッシャ６・８により各々の取付具４・７頭部がそれぞれ抜けにくくなる。
【００１２】
請求項４に記載の発明は、例えば図１に示すように、
請求項１から３のいずれか一項に記載の外壁パネル２の取付構造において、
前記梁１は溝形鋼により形成され、その溝形鋼１の下面に前記ブラケット３が取付具４・５で結合されることを特徴とする。
【００１３】
請求項４に記載の発明によれば、梁を形成する溝形鋼１の下面にブラケット３が取付具４・５で結合されるので、ブラケット３を取付具４・５で取り付けやすい。
【００１４】
請求項５に記載の発明は、例えば図２に示すように、
請求項１から４のいずれか一項に記載の外壁パネル２の取付構造において、
前記建物は、四隅に立てられる柱９の上端間及び下端間を天井及び床の前記梁１でそれぞれ連結した略直方体状のフレームを有する建物ユニットを上下及び前後左右に複数組み合わせて建築されたユニット式建物で、
前記バルコニー２３は、前記建物ユニット内に設けられており、
当該ユニット式建物の前記一側面において、前記建物ユニットの前記柱９の外側に、前記バルコニー２３の前記笠木２９と、前記窓サッシ３１の前記水切り３２と、前記外壁パネル２とが配置されていることを特徴とする
【００１５】
請求項５に記載の発明によれば、ユニット式建物の一側面において、建物ユニットの柱９の外側に配置された、建物ユニット内のバルコニー２３の笠木２９の外側面と、窓サッシ３１の水切り３２の外側面と、外壁パネル２の表面とが略連続しているので、意匠性が良い。
【発明の効果】
【００１６】
本発明によれば、梁からブラケット及び取付具を介して離間させて配置する外壁パネルの良好な取付状態を維持することができる。
【図面の簡単な説明】
【００１７】
【図１】本発明に係る外壁パネルの取付構造を示す縦断面図（ａ）と、その下面図（ｂ）及び側面図（ｃ）である。
【図２】本発明を適用する住宅のプラン例を示す平面図である。
【図３】図２の下辺側のバルコニーの笠木部分と窓サッシ部分の拡大図である。
【図４】図２の下辺側の窓サッシ部分の縦断面図である。
【発明を実施するための形態】
【００１８】
以下、図面を参照して本発明の実施の形態について説明する。
（実施形態）
図１（ａ）（ｂ）及び（ｃ）は本発明に係る外壁パネルの取付構造を示すもので、１は梁、２は外壁パネル、３はブラケット、４はボルト、５はナット、６はワッシャ、７はボルト、８はワッシャである。
【００１９】
図示のように、梁１は溝形鋼により形成され、この梁１は、図示しない建物ユニットの柱の上部間と下部間に架設されている。
以上の梁１から離間して外壁パネル２が配置され、この外壁パネル２は梁１の下面に対しブラケット３を介してボルトナット結合される。図示例は、上梁に対するブラケットを介しての外壁パネルの取付構造で、下梁に対しては上面にブラケットを介して外壁パネルが取り付けられる構造となっている。
【００２０】
すなわち、図示例の上梁に対する外壁パネル２の取付構造において、ブラケット３はＬ形金物により形成され、その長い方の上片部に、図１（ｂ）に示すように、梁１の長手方向に沿って二個の横方向の長孔３ａが形成されて、短い方の側片部に、図１（ｃ）に示すように、外壁パネル２の高さ方向に沿って一個の縦方向の長孔３ｂが形成されている。
このように、横方向の長孔３ａと縦方向の長孔３ｂがボルト通し孔となっている。
【００２１】
なお、溝形鋼による梁１の下片部で、ブラケット３の上片部を重ねる位置には、図示しない丸孔による一対のボルト通し孔が形成されている。
また、外壁パネル２の上部及び下部で、ブラケット３の側片部を重ねる部分には、図示しないナットが固定して設けられている。
【００２２】
そして、溝形鋼による梁１の下片部にブラケット３の上片部を重ねて、下方からボルト４を二個の横方向の長孔３ａ及び丸孔による一対のボルト通し孔に各々通し、ボルト４のネジ部に上方からナット５をそれぞれ締め付ける。その際、ブラケット３の上片部とボルト４の頭部との間にワッシャ６をそれぞれ介在させる。
【００２３】
また、外壁パネル２の内面にブラケット３の側片部を重ねて、内方からボルト７を縦方向の長孔３ｂに通してナットに締め込む。その際、ブラケット３の側片部とボルト７の頭部との間にワッシャ８を介在させる。
【００２４】
ここで、ブラケット３の横方向の長孔３ａの位置は、図１（ａ）に示すように、溝形鋼による梁１の芯Ｃに近い寸法αとなっている。
このように、溝形鋼による梁１の芯Ｃとブラケット３の横方向の長孔３ａの位置が近い寸法αのため、梁１に対し外壁パネル２を横方向へスムーズにスライドできる。
【００２５】
また、横方向の長孔３ａの幅よりもボルト４頭部下のワッシャ６のサイズが大きく、同様に、縦方向の長孔３ｂの幅よりもボルト７頭部下のワッシャ８のサイズが大きいものとなっている。
【００２６】
このように、ブラケット３とボルト４・７頭部との間にワッシャ６・８が介在されているので、長孔３ａ・３ｂに沿ってワッシャ６・８により各々のボルト４・７頭部がそれぞれ抜けにくくなる。つまり、振動等でボルト４・７頭部の一部が長孔３ａ・３ｂ内に引っ掛かることを防ぐことができる。
また、ワッシャ６・８を、ステンレスやフッ素樹脂（４フッ化エチレン樹脂等）加工とすることで、滑りやすくすることができる。
【００２７】
なお、下梁に対するブラケットを介しての外壁パネルの取付構造は、以上の上梁に対す
る取付構造と上下反転させた構成となっている。
【００２８】
次に、例えば地震発生時の外壁パネル２の動きについて説明する。
先ず、通常時は、図１（ｃ）に示すように、外壁パネル２をブラケット３の側片部に固定するボルト７の軸部が、外壁パネル２の重みで縦方向の長孔３ｂの下端部に位置する。
【００２９】
例えば地震発生時において、その振動によって建物に変形が生じると、梁１が変位するが、このとき、梁１は、ナット５で固定したボルト４がブラケット３の横方向の長孔３ａに沿って移動するので、外壁パネル２の重量に影響されずに、長孔３ａの方向に沿って変位する。
従って、図示例のように、外壁パネル２が梁１から離間して配置されていても、建物の変形に伴う力が外壁パネル２まで伝わること防ぐことができる。
【００３０】
図２は本発明を適用する住宅のプラン例を示すもので、２は外壁パネルであって、９は柱、１１は階段、２１はホール、２２はサニタリー、２３はバルコニー、２４はキッチン、２５はリビングルームとダイニングルームの機能を併存させた部屋、２６はバルコニー、２７は主寝室、２８はバルコニー、２９は笠木、３１は窓サッシである。
【００３１】
このプラン例はユニット式建物に適用されており、ユニット式建物は、四隅に立てられる柱９の上端間及び下端間を天井及び床の梁１でそれぞれ連結した略直方体状のフレームを有する建物ユニットを上下及び前後左右に複数組み合わせて建築されている。
このユニット式建物の平行する長辺部において、前述したように、梁１から離間して配置される外壁パネル２の取付構造が適用されている。
【００３２】
そして、サニタリー２２のバルコニー２３において、その手摺の笠木２９は、図示のように、柱９より外側に配置されて、その笠木２９の外側面に外壁パネル２の表面が略連続する外観となっている。
このように、笠木２９の外側面に外壁パネル２の表面が略連続するので、意匠性が良い。
【００３３】
また、外壁パネル２が梁１から離間して配置されることにより、外壁パネル２の位置を前方にずらすことができるので、断熱材を充填するための空隙を形成したり、建物外観の印象を変化させたりすることができる。
【００３４】
図３は図２の下辺側のバルコニーの笠木部分と窓サッシ部分を拡大したもので、図４は図２の下辺側の窓サッシ３１部分を縦断して示すものである。
【００３５】
図２に示した下辺側の窓サッシ３１において、その水切り３２を、図４に拡大して示すように延長して、図３に拡大して示すように、窓サッシ３１の水切り３２の外側面に笠木２９の外側面と外壁パネル２の表面が略連続する外観となっている。
すなわち、窓サッシ３１の水切り３２は、図３及び図４に示すように、実際の水切りである水切り本体部３２ａの上に延出部３２ｂを被せた構成となっていて、その水切り３２の延出部３２ｂの外側面が、その左右の外壁パネル２の表面及び笠木２９の外側面に略連続している。  
【００３６】
このように、窓サッシ３１の水切り３２の延出部３２ｂの外側面に、隣接する笠木２９の外側面と外壁パネル２の表面が略連続するので、さらに意匠性が良い。
【００３７】
以上、実施形態によれば、外壁パネル２を梁１から離間して配置することにより外壁パネル２の位置を前方にずらすことができるので、断熱材を充填するための空隙を形成した
り、建物外観の印象を変化させたりすることができる。
そして、ブラケット３の梁１に対するボルト通し孔を横方向の長孔３ａに形成したので、梁１は、例えば建物の変形に伴って変位する場合であっても、外壁パネル２の重量に影響されずに、長孔３ａの方向に沿って変位することになる。
従って、例えば地震等によって建物が変形し、これに伴って梁１が変位した場合であっても、建物の変形に伴う力が、外壁パネル２に対して伝わりにくくなる。これによって、例えば梁１とブラケット３との接続部分や、外壁パネル２とブラケット３との接続部分に強く荷重がかかることを防ぐことができるので、当該各接続部分の周辺に変形も生じず、外壁パネル２の良好な取付状態を維持することができる。
【００３８】
また、Ｌ形金物によるブラケット３なので、部材単純化・加工減に寄与する。
【００３９】
（変形例）
以上の実施形態においては、外壁パネルの隣に窓を設けて、その窓の隣にバルコニーを設けたが、これに限らず、外壁パネルの隣にバルコニーを設けて、そのバルコニーの隣に窓を設けてもよい。
また、実施形態では、ボルトナットによる取付具としたが、取付具はビス（ネジ）や釘であってもよい。
さらに、外壁パネル及びブラケットの形状等も任意であり、その他、具体的な細部構造等についても適宜に変更可能であることは勿論である。
【符号の説明】
【００４０】
１  梁
２  外壁パネル
３  ブラケット
３ａ  横方向の長孔
３ｂ  縦方向の長孔
４  取付具
５  取付具
６  ワッシャ
７  取付具
８  ワッシャ
９  柱
２３  バルコニー
２６  バルコニー
２８  バルコニー
２９  笠木
３１  窓サッシ
３２  水切り
３２ａ  本体部
３２ｂ  延出部
【図１】
0006426382.tif 000002
【図２】
0006426382.tif 000003
【図３】
0006426382.tif 000004
【図４】
0006426382.tif 000005